(57)【要約】【課題】コネクタの取付作業性が良く、しかも、長年の使用によってもコネクタが取付部材より容易に脱落しないコネクタ取付構造を提供する。【解決手段】取付部材１にはコネクタ１０より大きい寸法のコネクタ取付穴２が設けられ、コネクタ取付穴２には所定の位置である挿入離脱位置からコネクタ１０の取付位置までの挿入が可能に設けられ、コネクタ取付穴２の取付位置まで挿入されたコネクタ１０がコネクタ挿入方向の直交方向で、且つ、互いに直交する方向にスライド自在に設けられ、コネクタ１０の挿入離脱位置とは反対位置へのスライドによって係止され、挿入離脱位置へのスライドを阻止する係止手段７が設けられ、係止手段７によるスライド規制を受けない範囲ではコネクタ１０がコネクタ挿入方向の直交方向で、且つ、互いに直交する方向にスライド自在に設けられた。【選択図】図２
2013045608.tif 000002
【特許請求の範囲】
【請求項１】
取付部材にはコネクタより大きい寸法のコネクタ取付穴が設けられ、前記コネクタ取付穴には所定の位置である挿入離脱位置から前記コネクタの取付位置までの挿入が可能に設けられ、前記コネクタ取付穴の取付位置まで挿入された前記コネクタがコネクタ挿入方向の直交方向で、且つ、互いに直交する方向にスライド自在に設けられ、前記コネクタの挿入離脱位置とは反対位置へのスライドによって係止され、前記挿入離脱位置へのスライドを阻止する係止手段が設けられ、前記係止手段によるスライド規制を受けない範囲では前記コネクタがコネクタ挿入方向の直交方向で、且つ、互いに直交する方向にスライド自在に設けられたことを特徴とするコネクタ取付構造。
【請求項２】
請求項１記載のコネクタ取付構造であって、
前記係止手段は、前記取付部材に設けられた係止ロッドと、前記コネクタに設けられた係止爪であり、前記係止爪は、前記コネクタの挿入離脱位置から離間する方向へのスライド過程で前記係止ロッドを弾性変形によって乗り越え、乗り越えた位置では弾性復帰変形して係止位置に位置することを特徴とするコネクタ取付構造。
【請求項３】
請求項１又は請求項２記載のコネクタ取付構造であって、
前記取付部材には、コネクタ取付穴のコネクタ挿入側とコネクタ出口側に突出する一対のスライドレール壁が設けられ、コネクタ挿入側の前記スライドレール壁とコネクタ突出側の前記スライドレール壁は、コネクタ挿入方向から見て互いにオーバーラップしないように切欠部が設けられ、前記コネクタには、一対の前記スライドレール壁間に入り込むことが可能なスライド突壁が設けられ、前記スライド突壁は、コネクタ挿入離脱位置にあって、コネクタ挿入側の前記スライドレール壁の前記切欠部に対応する位置に設けられていることを特徴とするコネクタ取付構造。
【発明の詳細な説明】
【技術分野】
【０００１】
本発明は、コネクタが取付部材に変移可能に取り付けられるコネクタ取付構造に関する。
【背景技術】
【０００２】
この種の従来のコネクタ取付構造としては、例えば特許文献１に開示されたものが提案されている。
【０００３】
このコネクタ取付構造は、図１４及び図１５に示すように、コネクタ取付穴５１が開口された取付部材５０と、コネクタ取付穴５１に挿入された状態で取り付けされるコネクタ６０とを備えている。コネクタ取付穴５１は、コネクタハウジング６１の上下左右の外径寸法に対して少し大きく設けられている。コネクタ取付穴５１の上下左右の周辺位置には、一対の切欠部５２がそれぞれ設けられている。各切欠部５２の幅寸法は、下記する保護リブ６３の厚みより大きく設定されている。
【０００４】
コネクタ６０は、コネクタハウジング６１とこのコネクタハウジング６１内に収容された多数の端子（図示せず）とを有する。コネクタハウジング６１の上下左右の外壁面には、係止アーム部６２がそれぞれ突設されている。各係止アーム部６２の左右位置には、一対の保護リブ６３が突設されている。コネクタハウジング６１の上下面で、且つ、係止アーム部６２の左右位置には、挿入ストッパ壁６４と抜け止め弾性壁６５の組が一対それぞれ設けられている。
【０００５】
次に、コネクタ６０の取付作業を説明する。取付部材５０のコネクタ取付穴５１にコネクタ６０を挿入する。すると、コネクタ６０の各係止アーム部６２及び各抜け止め弾性壁６５が弾性変形してコネクタ６０の挿入が許容される。コネクタ６０の挿入ストッパ壁６４がコネクタ取付穴５１の周辺に突き当たる位置まで挿入されると、各係止アーム部６２及び各抜け止め弾性壁６５が弾性復帰し、各係止アーム部６２及び各抜け止め弾性壁６５がコネクタ取付穴５１の周縁にそれぞれ係止する。これで、コネクタ６０の取付作業が完了する。
【０００６】
コネクタ６０は、各係止アーム部６２が取付部材５０に係止し、且つ、挿入ストッパ壁６４と抜け止め弾性壁６５間で取付部材５０を挟持し、これにより取付部材５０から脱落しないように取り付けられる。又、コネクタ６０は、上下左右位置の各係止アーム部６２からの弾性復帰力を受けた状態でコネクタ取付穴５１内に取り付けられる。従って、コネクタ６０は、各係止アーム部６２が弾性変形できる範囲でコネクタ取付穴５１内で上下左右方向に変移できる。これにより、相手コネクタとの間に位置ずれがあってもこれを吸収してコネクタ嵌合できる。
【先行技術文献】
【特許文献】
【０００７】
【特許文献１】特開平９−４５４３３号公報
【発明の概要】
【発明が解決しようとする課題】
【０００８】
前記従来のコネクタ取付構造では、コネクタ６０を取付部材５０のコネクタ取付穴５１に単に挿入するだけで取り付けが完了するため、取付作業性が良い。
【０００９】
しかし、コネクタ６０が取付部材５０に取り付けされた後も、各係止アーム部６２の弾性復帰力が常時作用するため、長年の使用によって各係止アーム部６２の係止力が弱くなる。又、抜け止め弾性壁６５も弾性変形する部材であるため、外力の作用によって変形し易い。このような理由によって、長年の使用によってコネクタ６０が取付部材５０より容易に脱落する恐れがあるという問題がある。
【００１０】
そこで、本発明は、前記した課題を解決すべくなされたものであり、コネクタの取付作業性が良く、しかも、長年の使用によってもコネクタが取付部材より容易に脱落しないコネクタ取付構造を提供することを目的とする。
【課題を解決するための手段】
【００１１】
本発明は、取付部材にはコネクタより大きい寸法のコネクタ取付穴が設けられ、前記コネクタ取付穴には所定の位置である挿入離脱位置から前記コネクタの取付位置までの挿入が可能に設けられ、前記コネクタ取付穴の取付位置まで挿入された前記コネクタがコネクタ挿入方向の直交方向で、且つ、互いに直交する方向にスライド自在に設けられ、前記コネクタの挿入離脱位置とは反対位置へのスライドによって係止され、前記挿入離脱位置へのスライドを阻止する係止手段が設けられ、前記係止手段によるスライド規制を受けない範囲では前記コネクタがコネクタ挿入方向の直交方向で、且つ、互いに直交する方向にスライド自在に設けられたことを特徴とするコネクタ取付構造である。
【００１２】
前記係止手段は、前記取付部材に設けられた係止ロッドと、前記コネクタに設けられた係止爪であり、前記係止爪は、前記コネクタの挿入離脱位置から離間する方向へのスライド過程で前記係止ロッドを弾性変形によって乗り越え、乗り越えた位置では弾性復帰変形して係止位置に位置することが好ましい。
【００１３】
前記取付部材には、前記コネクタ取付穴のコネクタ挿入側とコネクタ出口側に突出する一対のスライドレール壁が設けられ、コネクタ挿入側の前記スライドレール壁とコネクタ突出側の前記スライドレール壁は、コネクタ挿入方向から見て互いにオーバーラップしないように切欠部が設けられ、前記コネクタには、一対の前記スライドレール壁間に入り込むことが可能なスライド突壁が設けられ、前記スライド突壁は、コネクタ挿入離脱位置にあって、コネクタ挿入側の前記スライドレール壁の前記切欠部に対応する位置に設けられていることが好ましい。
【発明の効果】
【００１４】
本発明によれば、コネクタは、取付部材のコネクタ取付穴に挿入し、その後にスライドさせれば取り付けが完了する。係止手段は、取付部材に係止させた後では、コネクタの挿入離脱位置へのスライドのみを規制できる構造であれば良いため、取付完了後に弾性復帰力を常時作用させるような構造とする必要がなく、長年の使用によって係止力が弱くなることがない。以上より、コネクタの取付作業性が良く、しかも、長年の使用によってもコネクタが取付部材より容易に脱落しない。
【図面の簡単な説明】
【００１５】
【図１】本発明の一実施形態を示し、コネクタ取付構造の斜視図である。
【図２】本発明の一実施形態を示し、図１とは反対側から見たコネクタ取付構造の斜視図である。
【図３】本発明の一実施形態を示し、コネクタ取付構造の一部破断した斜視図である。
【図４】本発明の一実施形態を示し、コネクタ取付構造の正面図である。
【図５】本発明の一実施形態を示し、（ａ）はコネクタ取付構造の側面図、（ｂ）はコネクタ取付構造の平面図である。
【図６】本発明の一実施形態を示し、取付部材の斜視図である。
【図７】本発明の一実施形態を示し、図６のＡ−Ａ線断面図である。
【図８】本発明の一実施形態を示し、コネクタの取り付け過程を示す斜視図である。
【図９】本発明の一実施形態を示し、コネクタの取り付け過程を示す斜視図である。
【図１０】本発明の一実施形態を示し、コネクタの取り付け過程を示す斜視図である。
【図１１】本発明の一実施形態を示し、コネクタの取り付け過程を示す斜視図である。
【図１２】本発明の一実施形態を示し、（ａ）〜（ｃ）はコネクタの水平方向への各変移位置を示す断面図である。
【図１３】本発明の一実施形態を示し、（ａ）〜（ｃ）はコネクタの上下方向への各変移位置を示す断面図である。
【図１４】従来例を示し、コネクタ取付構造の分解斜視図である。
【図１５】従来例を示し、コネクタ取付構造の断面図である。
【発明を実施するための形態】
【００１６】
以下、本発明の一実施形態を図面に基づいて説明する。
【００１７】
図１〜図１３は本発明の一実施形態を示す。図１〜図７に示すように、コネクタ取付構造は、コネクタ取付穴２が開口された取付部材１と、コネクタ取付穴２に挿入された状態で取り付けされるコネクタ１０とを備えている。
【００１８】
取付部材１は、例えば車両の車体パネルである。コネクタ取付穴２は、コネクタ１０の形状に対応し、略長方形状である。コネクタ取付穴２の寸法（高さ寸法：ｈ１、幅寸法：ｗ１）は、コネクタハウジング１１の上下左右の各外径寸法（高さ寸法：ｈ２、幅寸法：ｗ２）に対してそれぞれ大きく設けられている（図４参照）。
【００１９】
コネクタ取付穴２の上面と下面の各位置には、コネクタ挿入方向（Ａ矢印方向）に間隔を置いて一対のスライドレール壁３，４が突設されている。この一対のスライドレール壁３，４の間がスライド溝５となっている。
【００２０】
コネクタ挿入側のスライドレール壁３とコネクタ突出側のスライドレール壁４は、コネクタ挿入方向（Ａ矢印方向）から見て互いにオーバーラップしないように切欠部３ａ，４ａが設けられている。
【００２１】
コネクタ取付穴２の一方の側端近くには、上下方向に延びる係止ロッド６が設けられている。
【００２２】
コネクタ１０は、コネクタハウジング１１とこのコネクタハウジング１１内に収容された多数の端子（図示せず）とを有する。各端子には、電線Ｗがそれぞれ接続されている。
【００２３】
コネクタハウジング１１の上下面には、スライド突壁１２が設けられている。上下面のスライド突壁１２は、コネクタ挿入離脱位置にあって、コネクタ挿入側のスライドレール壁３の切欠部３ａに対応する位置に設けられている。コネクタハウジング１１の上下面には、スライドレール壁３に対応する位置にスライドレール回避溝１３がそれぞれ形成されている。スライドレール回避溝１３は、コネクタ１０のコネクタ取付穴２への挿入に際して、コネクタ突出側のスライドレール壁４との干渉を回避するためのものである。
【００２４】
コネクタ１０は、コネクタ取付穴２の取付位置まで挿入されると、左右方向Ｈ及び上下方向Ｖにスライドできる。そして、コネクタ挿入離脱位置以外の位置では、コネクタ１０のスライド突壁１２は、コネクタ挿入側のスライドレール壁３との間と、コネクタ突出側のスライドレール壁４との間で、少なくとも一部がオーバーラップしてコネクタ取付穴２より抜け出ることができない。
【００２５】
コネクタハウジング１１には、係止爪１４が設けられている。この係止爪１４と係止ロッド６によって係止手段７が構成されている。コネクタ１０は、係止爪１４が係止ロッド６に係止することによってコネクタ挿入離脱位置への移動が規制される。しかし、係止手段７によるスライド規制を受けない範囲では、コネクタ１０のスライド突壁１２がコネクタ取付穴２の一対のスライドレール壁３，４でガイドされつつ自由に左右方向Ｈにスライド移動できる。係止手段７は、コネクタ１０の上下方向Ｖのスライド移動を許容し、コネクタ取付穴２の範囲内では、コネクタ１０のスライド突壁１２がコネクタ取付穴２の一対のスライドレール壁３，４でガイドされつつ自由に上下方向Ｖにスライド移動できる。
【００２６】
次に、コネクタ１０の取付手順を説明する。図８に示すように、コネクタ１０をコネクタ取付穴２に対し、コネクタ挿入離脱位置に位置合わせする。そして、図９に示すように、コネクタ１０をコネクタ取付穴２に対しコネクタ挿入方向Ａに挿入する。コネクタ１０は、図１０に示すように、コネクタ１０のスライド突壁１２がコネクタ突出側のスライドレール壁４に突き当たる位置まで挿入する。この位置がコネクタ１０の取付位置である。
【００２７】
次に、図１０に示すように、コネクタ１０をコネクタ挿入方向Ａの直交方向、具体的には左右方向Ｈにスライドさせる。コネクタ１０は、一対のスライドレール壁３，４にガイドされつつスライドし、係止爪１４が係止ロッド６に突き当たる。この状態より更にコネクタ１０をスライドさせると、係止爪１４が弾性変形して係止ロッド６を乗り越える。図１１に示すように、係止爪１４が完全に係止ロッド６を乗り越える位置までスライドすると、係止爪１４が元の位置に弾性復帰変形する。これに、コネクタ１０の取付作業が完了する。
【００２８】
コネクタ１０は、係止爪１４と係止ロッド６によってコネクタ挿入離脱位置にスライド移動できないため、コネクタ取付穴２に取り付けられる。
【００２９】
コネクタ取付穴２に取り付けされたコネクタ１０は、係止爪１４と係止ロッド６の係止手段７によるスライド規制を受けない範囲では、コネクタ取付穴２内で左右方向Ｈ及び上下方向Ｖにスライド移動できる。
【００３０】
具体的には、左右方向Ｈに対しては、係止爪１４の先端がコネクタ取付穴２の内側面に突き当たる位置（図１２（ａ）の位置）と、係止爪１４が係止ロッド６に係止する位置（図１２（ｃ）の位置）との間をスライド移動できる。図１２（ｂ）は、左右方向Ｈのスライド移動の中間位置を示す。上下方向Ｖに対しては、コネクタ１０の下面のスライド突壁１２がコネクタ取付穴２の底面に突き当たる位置（図１３（ａ）の位置）と、コネクタ１０の上面のスライド突壁１２がコネクタ取付穴２の上面に突き当たる位置（図１３（ｃ）の位置）との間をスライド移動できる。図１３（ｂ）は、上下方向Ｖのスライド移動の中間位置を示す。
【００３１】
このようにコネクタ１０は、コネクタ取付穴２内で上下左右方向に変移できるため、相手コネクタとの間に位置ずれがあってもこれを吸収してコネクタ嵌合できる。
【００３２】
以上説明したように、コネクタ１０は、取付部材１のコネクタ取付穴２に挿入し、その後にスライドさせれば取り付けが完了する。係止手段７は、取付部材１に係止させた後では、実施形態のように、コネクタ１０の挿入離脱位置へのスライドのみを規制できる構造であれば良いため、取付完了後に弾性復帰力を常時作用させるような構造とする必要がなく、長年の使用によって係止力が弱くなることがない。以上より、コネクタ１０の取付作業性が良く、しかも、長年の使用によってもコネクタ１０が取付部材１より容易に脱落しない構造にできる。
【００３３】
又、コネクタ１０は、取付部材１のコネクタ取付穴２内で移動できるので、コネクタ１０への外力をスライド移動で吸収でき、外力に対して強い構造である。
【００３４】
係止手段７は、取付部材１に設けられた係止ロッド６と、コネクタ１０に設けられた係止爪１４より構成されている。従って、係止手段７は簡単な構造である。係止手段７は、この実施形態では、係止ロッド６と係止爪１４にて構成されているが、コネクタ１０の挿入離脱位置への移動を阻止できる手段であれば良い。又、係止手段７は、この実施形態とは反対に、取付部材１に係止爪１４を、コネクタ１０に係止ロッド６を設けて構成しても良い。
【００３５】
取付部材１にはコネクタ取付穴２のコネクタ挿入側とコネクタ出口側に突出する一対のスライドレール壁３，４が設けられ、コネクタ挿入側のスライドレール壁３とコネクタ突出側のスライドレール壁４は、コネクタ挿入方向から見て互いにオーバーラップしないように切欠部３ａ，４ａが設けられ、コネクタ１０にはスライド突壁１２が設けられ、スライド突壁１２は、コネクタ挿入離脱位置にあって、コネクタ挿入側のスライドレール壁３の切欠部３ａに対応する位置に設けられている。従って、コネクタ取付穴２に対し、コネクタ挿入離脱位置でのコネクタ１０の取付位置までの挿入を許容し、且つ、コネクタ１０の挿入離脱位置以外でのコネクタ１０の脱落を確実に防止できる。
【符号の説明】
【００３６】
１  取付部材
２  コネクタ取付穴
３，４  スライドレール壁
３ａ、４ａ  切欠部
５  スライド溝
６  係止ロッド
７  係止手段
１０  コネクタ
１２  スライド突壁
１４  係止爪
【図１】
2013045608.tif 000003
【図２】
2013045608.tif 000004
【図３】
2013045608.tif 000005
【図４】
2013045608.tif 000006
【図５】
2013045608.tif 000007
【図６】
2013045608.tif 000008
【図７】
2013045608.tif 000009
【図８】
2013045608.tif 000010
【図９】
2013045608.tif 000011
【図１０】
2013045608.tif 000012
【図１１】
2013045608.tif 000013
【図１２】
2013045608.tif 000014
【図１３】
2013045608.tif 000015
【図１４】
2013045608.tif 000016
【図１５】
2013045608.tif 000017